(57)【特許請求の範囲】
【請求項１】
時計ケースに取着される速交換式２個構成型時計バンドであって、
第１の端部に第１の時計ケースピン、反対側の第２の端部に第２の時計ケースピンをそれぞれ有する時計ケースと、
該時計ケースの第１の端部に取着される基端部の下面に設けられた或る長さのフック/ループファスナー部材を有する２個構成型時計バンドの第１のバンド片であって、該フック/ループファスナー部材が、該第１のバンド片を該第１の時計ケースピンの背後を通り抜けさせた後、該第１のバンド片を所望の位置に固定させる役目を果たすようになっているものと、
該時計ケースの第２の端部に取着される基端部の下面に設けられた或る長さのフック/ループファスナー部材を有する２個構成型時計バンドの第２のバンド片であって、該フック/ループファスナー部材が、該第２のバンド片を該第２の時計ケースピンの背後を通り抜けさせた後、該第２のバンド片を所望の位置に固定させる役目を果たすようになっているものと、
該２個構成型時計バンドの第１のバンド片および第２のバンド片のそれぞれの該時計ケース近傍部に摺動自在に設けられた固定装置であって、それにより該フック/ループファスナー部材が該２個構成型時計バンドの第１のバンド片および第２のバンド片を所望の位置に更に確実に固定させるようにするものと、
を具備してなることを特徴とする時計バンド。
【請求項２】
２個構成型時計バンドを時計ケースに装着させる方法であって、
第１の端部に第１の時計ケースピン、反対側の第２の端部に第２の時計ケースピンをそれぞれ有する時計ケースを用意する工程と、
該時計ケースの第１の端部に取着される基端部の下面に或る長さのフック/ループファスナー部材を設けた２個構成型時計バンドの第１のバンド片を用意する工程と、
該時計ケースの第１の端部に取着される該第１のバンド片の基端部を下向きに該第１の時計ケースピンの背後を通り抜けさせる工程と、
該第１の時計ケースピンの背後を通り抜けさせた後、該第１のバンド片を折り重ね該フック/ループファスナー部材を係合させ、それにより該第１のバンド片を所望の位置に固定させる工程と、
該時計ケースの第２の端部に取着される基端部の下面に或る長さのフック/ループファスナー部材を設けた２個構成型時計バンドの第２のバンド片を用意する工程と、
該時計ケースの第２の端部に取着される該第２のバンド片の基端部を下向きに該第２の時計ケースピンの背後を通り抜けさせる工程と、
該第２の時計ケースピンの背後を通り抜けさせた後、該第２のバンド片を折り重ね該フック/ループファスナー部材を係合させ、それにより該第２のバンド片を所望の位置に固定させる工程と、
該時計ケース近傍の２個構成型時計バンドの第１および第２のバンド片の部分にそれぞれ固定装置を設ける工程と、
該第１および第２のバンド片を折り重ねたのち、該固定装置を該第１および第２のバンド片上をそれぞれ摺動させ、該第１および第２のバンド片を所望の位置にて更に確実に固定させる工程と、
を具備してなることを特徴とする方法。
【請求項３】
時計ケースに取着される速交換式２個構成型時計バンドであって、
第１の端部に第１の時計ケースピン、反対側の第２の端部に第２の時計ケースピンをそれぞれ有する時計ケースと、
２個構成型時計バンドの第１のバンド片であって、前記第１の時計ケースピンに直接取着されるべく前記２個構成型時計バンドの第１のバンド片の最端部に蝶着された第１のクリップ部材と、これに関連して該第１のバンド片上に配置された第１の摺動自在なリング部材とを具備してなり、該第１のクリップ部材が、前記第１の時計ケースピンの背後に導かれ、前記２個構成型時計バンドの前記第１のバンド片に関し、前記２個構成型時計バンドの第１のバンド片を覆う閉じた位置と反対の方向に回転されるようにし、前記第１のリング部材が、該第１のクリップ部材が前記閉じた位置に置かれたとき該第１のクリップ部材上を摺動し得るようにされたものと、
２個構成型時計バンドの第２のバンド片であって、前記第２の時計ケースピンに直接取着されるべく前記２個構成型時計バンドの第２のバンド片の最端部に蝶着された第２のクリップ部材と、これに関連して該第２のバンド片上に配置された第２の摺動自在なリング部材とを具備してなり、該第２のクリップ部材が、前記第２の時計ケースピンの背後に導かれ、前記２個構成型時計バンドの前記第２のバンド片に関し、前記２個構成型時計バンドの第２のバンド片を覆う閉じた位置と反対の方向に回転されるようにし、前記第２のリング部材が、該第２のクリップ部材が前記閉じた位置に置かれたとき該第２のクリップ部材上を摺動し得るようにされたものと、
を具備してなることを特徴とする時計バンド。
【請求項４】
２個構成型時計バンドを時計ケースに装着させる方法であって、
第１の端部に第１の時計ケースピン、反対側の第２の端部に第２の時計ケースピンをそれぞれ有する時計ケースを用意する工程と、
２個構成型時計バンドの第１のバンド片であって、前記第１の時計ケースピンに直接取着されるべく前記２個構成型時計バンドの第１のバンド片の最端部に蝶着された第１のクリップ部材と、これに関連して該第１のバンド片上に配置された第１の摺動自在なリング部材とを用意する工程と、
該第１のクリップ部材を、前記第１の時計ケースピンの背後に導く工程と、
前記２個構成型時計バンドの前記第１のバンド片に関し、前記２個構成型時計バンドの第１のバンド片を覆う閉じた位置と反対の方向に回転する工程と、
該第１のクリップ部材が前記閉じた位置に固定させるため、前記第１のリング部材が、該第１のクリップ部材が前記閉じた位置に置かれたとき該第１のクリップ部材上を摺動する工程と、
２個構成型時計バンドの第２のバンド片であって、前記第２の時計ケースピンに直接取着されるべく前記２個構成型時計バンドの第２のバンド片の最端部に蝶着された第２のクリップ部材と、これに関連して該第２のバンド片上に配置された第２の摺動自在なリング部材とを用意する工程と、
該第１のクリップ部材を、前記第２の時計ケースピンの背後に導く工程と、
前記２個構成型時計バンドの前記第２のバンド片に関し、前記２個構成型時計バンドの第２のバンド片を覆う閉じた位置と反対の方向に回転する工程と、
該第２のクリップ部材が前記閉じた位置に固定させるため、前記第２のリング部材が、該第２のクリップ部材が前記閉じた位置に置かれたとき該第２のクリップ部材上を摺動する工程と、
を具備してなることを特徴とする方法。
【発明の詳細な説明】
【０００１】
【発明の属する技術分野】
本発明は、概して時計バンドに係わり、特に、時計ケースに対し容易に脱着することが可能な時計バンドに関する。
【０００２】
【従来の技術】
従来の時計バンドは交換が困難であり、交換するためには通常、時計ケースの両側のケースピンを取り外し、その後、再度装着させる必要があった。その操作は、他の衣装品目との調和のため、今日、入手可能な種々の意匠の時計バンドを利用したいと願い、少なくとも日毎のベースで時計バンドを変える必要があると思う人々にとって面倒である。更に、従来の多くの時計バンドは、或る種の時計に限って装着可能になっている。
【０００３】
【発明が解決しようとする課題】
本発明の種々の態様に従って、装着者の望みの時計に迅速かつ容易に装着することができ、装着者の望みの他の衣装に色彩的およびスタイル的に調和させるため同じく容易に取り外し、交換することができるような時計バンドを提供することは有益なことであろう。
【０００４】
【課題を解決するための手段】
本発明は、上記のごとき課題を解決しようとするものであって、その主たる構成は、第１の端部に第１の時計ケースピン、反対側の第２の端部に第２の時計ケースピンをそれぞれ有する時計ケースと、該時計ケースの第１の端部に取着される基端部の下面に設けられた或る長さのフック/ループファスナー部材を有する２個構成型時計バンドの第１のバンド片であって、該フック/ループファスナー部材が、該第１のバンド片を該第１の時計ケースピンの背後を通り抜けさせた後、該第１のバンド片を所望の位置に固定させる役目を果たすようになっているものと、該時計ケースの第２の端部に取着される基端部の下面に設けられた或る長さのフック/ループファスナー部材を有する２個構成型時計バンドの第２のバンド片であって、該フック/ループファスナー部材が、該第２のバンド片を該第２の時計ケースピンの背後を通り抜けさせた後、該第２のバンド片を所望の位置に固定させる役目を果たすようになっているものとを具備してなる速交換式時計バンドを提供するしようとするものである。
【０００５】
【発明の実施の態様】
次に、図１を参照して説明すると、両側に従来の時計ケースピン１２，１４を備えた時計ケース１０が示されている。２個構成型時計バンドの一方のバンド１６は時計ケースピン１２の背後の時計ケース10部分を通り抜けて設けられている。この時計ケースピン１２を巻くようにして挿通された一方のバンド１６の端部の下面にはフック/ループ式ファスナー面１５が設けられ、バンドの長さを調整し得るようになっている。この時計バンド１６上を摺動し得るようにした任意の固定装置１８を、フック/ループ式ファスナー部材１５により設定された所定位置に時計バンド１６を保持させるために設けてもよい。この２個構成型時計バンドの第２のバンド２０も同様に時計ケースピン１４の背後の時計ケース10部分を通り抜けて設けられ、フック/ループ式ファスナー面２１により所望の長さに調整し得るようになっていて、任意の第２の摺動自在な固定装置２２により調整された所定位置にて固定されるようになっている。この２個構成型時計バンドの２つのバンド片１６，２０の自由端には、図示しない従来の任意のファスナー、例えばバックル、スナップ（留め金）、ホックなどを設け、時計バンドおよびそれに取着させた時計ケース１０を装着者の手首に装着させることができる。
【０００６】
次に、図２を参照して説明すると、本発明の第２の態様が示されており、この場合、単一構成型時計バンド４０が双方の時計ケースピン１２，１４の背後、並びに時計ケース１０の背後を通り抜けて設けられている。一対の固定装置４２，４４が時計ケース１０の両側の時計バンド４０部分に設けられ、時計バンド４０を所望の位置にて保持させ、時計ケース１０との関係で移動しないようにしている。この時計バンド４０の自由端には、図示しない従来の任意のファスナーを設け、時計バンド４０および時計ケース１０を装着者の手首に装着させることができる。
【０００７】
次に、図３を参照して説明すると、本発明の第３の態様が示されており、この場合、２個構成型時計バンドの双方のバンド３２，３４の時計ケース１０への装着端部にはクリップ部材３６，３８が蝶着されている。これらクリップ部材３６，３８は時計ケースピン１２、１４の背後にそれぞれ設けられ、ついで、バンド５２，５４の手段により時計バンド片３２，３４にそれぞれ固定されている。なお、これらバンド５２，５４は時計バンド片３２，３４に沿ってそれぞれ摺動自在となっている。これら双方のバンド片３２，３４の自由端には、図１の２個構成型時計バンドおよび図２の単一構成型時計バンドと同様に、従来の任意のファスナーを設け、時計ケース１０を装着者の手首に装着させることができる。
【図面の簡単な説明】
【図１】本発明の第1の態様に係わる時計ケースおよびそれにベルクロファスナー（マジックテープ（登録商標））および固定装置の組合せを用いて取着された２個構成型時計バンドを示す拡大模式図。
【図２】本発明の第２の態様に係わる時計ケースおよびそれに固定装置を用いて所定位置に取着、保持された単一構成型時計バンドを示す拡大模式図。
【図３】本発明の第３の態様に係わる時計ケースおよびそれにクリップ部材および固定装置を用いて取着された２個構成型時計バンドを示す拡大模式図。
【符号の説明】
１０            時計ケース
１２、１４      時計ケースピン
１５、２１      フック/ループ式ファスナー面
１６、２０      時計バンド
１８、２２      固定装置
【図１】
0004307049.tif 000002
【図２】
0004307049.tif 000003
【図３】
0004307049.tif 000004